(57)【要約】【課題】  表示媒体用印刷手段に印刷させた画像の履歴が、印刷させた順序で端末に表示させ得る印刷履歴表示装置を提供する。【解決手段】  端末１０からの選択指示に基づいて、電子文書を記憶する文書ＤＢ２０から、選択指示に応じた電子文書を選択する文書選択部５１と、文書選択部５１により選択された電子文書を、頁単位で、電子ペーパ用プリンタ３０に印刷させるプリンタ制御部５２と、ブリンタ制御部５２が印刷させた電子文書の各頁に関する頁情報を印刷履歴として表示状態記憶部５４に保存する印刷履歴保存部５３と、端末１０からの指定日を含む検索指示に基づき、表示状態記憶部５４に保存された頁情報うち、該指定日の頁情報に関する画像を、印刷させた順序で、端末１０に表示させる検索結果表示制御部５５と、を有することを特徴とする。【選択図】  図１
2010072908.tif 000002
【特許請求の範囲】
【請求項１】
端末からの選択指示に基づいて、電子文書を記憶する第１記憶手段から、選択指示に応じた電子文書を選択する選択手段と、
前記選択手段により選択された電子文書を、頁単位で、表示媒体用印刷手段に印刷させる印刷制御手段と、
前記印刷制御手段が印刷させた電子文書の各頁に関する頁情報を印刷履歴として第２記憶手段に保存する保存手段と、
前記端末からの指定日を含む検索指示に基づき、前記第２記憶手段に保存された頁情報うち、該指定日に印刷させた頁情報に関する画像を、印刷させた順序で、前記端末に表示させる表示制御手段と、
を有することを特徴とする印刷履歴表示装置。
【請求項２】
前記表示制御手段は、端末からの検索指示に指定期間が含まれている場合に、該指定期間に印刷させた前記画像を、指定日ごとに、印刷させた順序で表示させることを特徴とする請求項１に記載の印刷履歴表示装置。
【請求項３】
前記表示制御手段は、表示媒体に表示させていた時間に基づいて、前記画像の大きさを変えて表示させることを特徴とする請求項１又は２に記載の印刷履歴表示装置。
【請求項４】
前記表示制御手段は、電子文書の各頁のうち、印刷させた頁の印刷回数に基づいて、前記画像の大きさを変えて表示させることを特徴とする請求項１又は２に記載の印刷履歴表示装置。
【請求項５】
前記表示制御手段は、前記選択手段が受信した選択指示に含まれる利用者識別情報と、前記検索指示に含まれる利用者識別情報とが一致する場合に、前記画像を強調して表示させることを特徴とする請求項１から４のいずれか１項に記載の印刷履歴表示装置。
【請求項６】
前記表示制御手段は、前記各画像の間に、一の画像を印刷させてから次の画像を印刷させるまでの時間の間隔の長短に応じた矢印を表示させることを特徴とする請求項１から５のいずれか１項に記載の印刷履歴表示装置。
【請求項７】
前記表示制御手段は、前記時間の間隔が長い場合に、前記矢印を伸ばして表示させることを特徴とする請求項６に記載の印刷履歴表示装置。
【請求項８】
前記表示制御手段は、前記各画像の間に、印刷させた頁の印刷回数に応じた矢印を表示させることを特徴とする請求項１から７のいずれか１項に記載の印刷履歴表示装置。
【請求項９】
前記表示制御手段は、前記印刷回数が多い場合に、前記矢印を太くして表示させることを特徴とする請求項８に記載の印刷履歴表示装置。
【請求項１０】
電子文書を選択するための選択指示、又は、印刷させた画像を検索するための検索指示を送信する送信部、及び、指定日を含む検索指示に応じた検索結果に係る画像を表示する表示部、を具備する端末と、
電子文書を構成する頁の画像を表示媒体に印刷する印刷装置と、
前記端末からの選択指示に基づいて、電子文書を記憶する第１記憶部から、該選択指示に応じた電子文書を選択する選択部、前記選択部により選択された電子文書を、頁単位で、前記印刷装置に印刷させる印刷制御部、前記印刷制御部が印刷させた電子文書の各頁に関する頁情報を印刷履歴として第２記憶部に保存する保存部、及び、前記検索指示に基づき、前記第２記憶部に保存された頁情報のうち、該指定日に印刷させた頁情報に関する画像を、印刷させた順序で、前記表示部に表示させる表示制御部、を具備する制御装置と、
を有することを特徴とする印刷履歴表示システム。
【請求項１１】
コンピュータを、
端末からの選択指示に基づいて、電子文書を記憶する第１記憶手段から、選択指示に応じた電子文書を選択する選択手段、
前記選択手段により選択された電子文書を、頁単位で、表示媒体用印刷手段に印刷させる印刷制御手段、
前記印刷制御手段が印刷させた電子文書の各頁に関する頁情報を印刷履歴として第２記憶手段に保存する保存手段、
前記端末からの指定日を含む検索指示に基づき、前記第２記憶手段に保存された頁情報うち、該指定日に印刷させた頁情報に関する画像を、印刷させた順序で、前記端末に表示させる表示制御手段、
として機能させることを特徴とする印刷履歴表示プログラム。
【発明の詳細な説明】
【技術分野】
【０００１】
本発明は、印刷履歴表示装置、印刷履歴表示システム及び印刷履歴表示プログラムに関する。
【背景技術】
【０００２】
文書ファイルを保持するデータベースサーバから、端末の画面上に入力された操作期間等の条件と一致する文書ファイルを取得し、取得した文書ファイルをその画面上に効率よく表示する技術が知られている（例えば、特許文献１、特許文献２参照）。
【０００３】
また、例えばデジタルカメラ等で撮影された写真の注文を受け付ける受付装置において、その受付装置の画面上に表示されるコマ画像の検索を行いやすくする技術や、画面上で選択されたスケジュールについて、ユーザが必要とする適切な候補となる情報を提示する技術も知られている（例えば、特許文献３、特許文献４参照）。
【０００４】
【特許文献１】特開２００７−２４９８０６号公報
【特許文献２】特開２００７−１４８６８９号公報
【特許文献３】特開２００４−３０２７６２号公報
【特許文献４】特開２００７−２７２４６５号公報
【発明の開示】
【発明が解決しようとする課題】
【０００５】
本発明は、表示媒体用印刷手段に印刷させた画像の履歴が、印刷させた順序で端末に表示され得る印刷履歴表示装置、印刷履歴表示システム及び印刷履歴表示プログラムを提供することを目的とする。
【課題を解決するための手段】
【０００６】
請求項１に記載の発明は、端末からの選択指示に基づいて、電子文書を記憶する第１記憶手段から、選択指示に応じた電子文書を選択する選択手段と、選択手段により選択された電子文書を、頁単位で、表示媒体用印刷手段に印刷させる印刷制御手段と、印刷制御手段が印刷させた電子文書の各頁に関する頁情報を印刷履歴として第２記憶手段に保存する保存手段と、端末からの指定日を含む検索指示に基づき、第２記憶手段に保存された頁情報うち、該指定日に印刷させた頁情報に関する画像を、印刷させた順序で、端末に表示させる表示制御手段と、を有することを特徴とする印刷履歴表示装置である。
【０００７】
請求項２に記載の発明は、請求項１に記載の発明において、表示制御手段は、端末からの検索指示に指定期間が含まれている場合に、該指定期間に印刷させた画像を、指定日ごとに、印刷させた順序で表示させることを特徴としている。
【０００８】
請求項３に記載の発明は、請求項１又は２に記載の発明において、表示制御手段は、表示媒体に表示させていた時間に基づいて、画像の大きさを変えて表示させることを特徴としている。
【０００９】
請求項４に記載の発明は、請求項１又は２に記載の発明において、表示制御手段は、電子文書の各頁のうち、印刷させた頁の印刷回数に基づいて、画像の大きさを変えて表示させることを特徴としている。
【００１０】
請求項５に記載の発明は、請求項１から４のいずれか１項に記載の発明において、表示制御手段は、選択手段が受信した選択指示に含まれる利用者識別情報と、検索指示に含まれる利用者識別情報とが一致する場合に、画像を強調して表示させることを特徴としている。
【００１１】
請求項６に記載の発明は、請求項１から５のいずれか１項に記載の発明において、表示制御手段は、各画像の間に、一の画像を印刷させてから次の画像を印刷させるまでの時間の間隔の長短に応じた矢印を表示させることを特徴としている。
【００１２】
請求項７に記載の発明は、請求項６に記載の発明において、表示制御手段は、時間の間隔が長い場合に、矢印を伸ばして表示させることを特徴としている。
【００１３】
請求項８に記載の発明は、請求項１から７のいずれか１項に記載の発明において、表示制御手段は、各画像の間に、印刷させた頁の印刷回数に応じた矢印を表示させることを特徴としている。
【００１４】
請求項９に記載の発明は、請求項８に記載の発明において、表示制御手段は、印刷回数が多い場合に、矢印を太くして表示させることを特徴としている。
【００１５】
請求項１０に記載の発明は、電子文書を選択するための選択指示、又は、印刷させた画像を検索するための検索指示を送信する送信部、及び、指定日を含む検索指示に応じた検索結果に係る画像を表示する表示部、を具備する端末と、電子文書を構成する頁の画像を表示媒体に印刷する印刷装置と、端末からの選択指示に基づいて、電子文書を記憶する第１記憶部から、該選択指示に応じた電子文書を選択する選択部、選択部により選択された電子文書を、頁単位で、印刷装置に印刷させる印刷制御部、印刷制御部が印刷させた電子文書の各頁に関する頁情報を印刷履歴として第２記憶部に保存する保存部、及び、検索指示に基づき、第２記憶部に保存された頁情報のうち、該指定日に印刷させた頁情報に関する画像を、印刷させた順序で、表示部に表示させる表示制御部、を具備する制御装置と、を有することを特徴とする印刷履歴表示システムである。
【００１６】
請求項１１に記載の発明は、コンピュータを、端末からの選択指示に基づいて、電子文書を記憶する第１記憶手段から、選択指示に応じた電子文書を選択する選択手段、選択手段により選択された電子文書を、頁単位で、表示媒体用印刷手段に印刷させる印刷制御手段、印刷制御手段が印刷させた電子文書の各頁に関する頁情報を印刷履歴として第２記憶手段に保存する保存手段、端末からの指定日を含む検索指示に基づき、第２記憶手段に保存された頁情報うち、該指定日に印刷させた頁情報に関する画像を、印刷させた順序で、端末に表示させる表示制御手段、として機能させることを特徴とする印刷履歴表示プログラムである。
【発明の効果】
【００１７】
請求項１に記載の発明によれば、表示媒体用印刷手段に印刷させた画像の履歴が、印刷させた順序で端末に表示される。
【００１８】
請求項２に記載の発明によれば、端末から指定期間を含む検索指示を送信すれば、表示媒体用印刷手段に印刷させた画像の履歴が、指定日ごとに印刷させた順序で端末に表示される。
【００１９】
請求項３に記載の発明によれば、表示媒体に頁の画像を表示させていた時間について、その長短が視覚化される。
【００２０】
請求項４に記載の発明によれば、表示媒体に頁の画像を印刷させた回数について、その多少が視覚化される。
【００２１】
請求項５に記載の発明によれば、利用者自身が表示媒体用印刷手段に印刷させた画像と他の利用者が印刷させた画像との区別が明確となる。
【００２２】
請求項６に記載の発明によれば、一の画像を印刷させてから次の画像を印刷させるまでの時間の長短が視覚化される。
【００２３】
請求項７に記載の発明によれば、一の画像を印刷させてから次の画像を印刷させるまでの時間が長ければ、画像間に表示される矢印は長くなる。
【００２４】
請求項８に記載の発明によれば、一の画像から次の画像へ印刷させた回数の多少が視覚化される。
【００２５】
請求項９に記載の発明によれば、一の画像から次の画像へ印刷させた回数が多ければ、画像間に表示される矢印は太くなる。
【００２６】
請求項１０に記載の発明によれば、表示媒体用印刷手段に印刷させた画像の履歴が、印刷させた順序で端末に表示される。
【００２７】
請求項１１に記載の発明によれば、表示媒体用印刷手段に印刷させた画像の履歴が、印刷させた順序で端末に表示される。
【発明を実施するための最良の形態】
【００２８】
以下、本発明の実施形態について図面を参照して説明する。
【００２９】
（第１実施形態）
図１は、本発明の実施形態に係る印刷履歴表示システムを示すブロック図、図２は、印刷履歴表示装置５０のハードウェア構成を例示するブロック図である。
【００３０】
印刷履歴表示システムは、図１に示すように、端末１０、文書記憶配信装置２０、表示媒体用印刷装置３０、表示媒体４０及び印刷履歴表示装置５０を含んで構成される。
【００３１】
端末１０は、送信部と表示部とを備えて構成される。端末１０としては、例えばＰＣ（Personal Computer）や携帯電話等がある。送信部は、文書配信記憶装置（以下、文書ＤＢ（データベース）という。）２０から文書ファイル等の電子文書（以下、単に文書という。）を選択するための選択指示、また、その文書を構成するページを選択するための選択指示を印刷履歴表示装置５０に送信する。さらに、送信部は、表示媒体用印刷装置（以下、電子ペーパ用プリンタという。）３０に印刷させた画像や該画像に関する各種情報を検索するための検索指示を印刷履歴表示装置５０に送信する。表示部は、検索指示に応じた検索結果に係る画像や各種情報を表示する。
【００３２】
文書ＤＢ２０は、文書を記憶、保持する。文書ＤＢ２０は、印刷履歴表示装置５０からの選択指示に基づいて、その選択指示に応じた文書を印刷履歴表示装置５０に配信する。尚、文書には、図形等の画像も含まれる。
【００３３】
電子ペーパ用プリンタ３０は、印刷履歴表示装置５０による制御に基づいて、自己に置かれた電子ペーパ４０に端末１０からの選択指示に応じたページを印刷する。電子ペーパ用プリンタ３０は、電子ペーパ４０を自己に置かせる形式のものでもよいし、自己に挿入させる形式のものでもよい。
【００３４】
電子ペーパ４０は、光書込型又は電気書込型の表示媒体である。この電子ペーパは、書換可能である。同図では、２枚の電子ペーパ４０を示しているが、その枚数は特に限定されない。電子ペーパ４０は、電子ペーパ用プリンタ３０に置かれたり、挿入されたりする。電子ペーパ用プリンタ３０によって印刷処理がなされると、次に印刷処理がなされるまで、電子ペーパ４０には選択されたページが表示され続ける。
【００３５】
印刷履歴表示装置５０は、文書選択部５１、プリンタ制御部５２、印刷履歴保存部５３、表示状態記憶部５４、検索結果表示制御部５５及び閲覧状態判定部５６を含んで構成される。印刷履歴表示装置５０は、端末１０や電子ペーパ用プリンタ３０を制御する。
【００３６】
文書選択部５１は、端末１０からの文書の選択に関する選択指示に基づいて、その選択指示に応じた文書を文書ＤＢ２０から選択し、取得する。また、端末１０からのページの選択に関する選択指示に基づいて、その選択指示に応じたページを取得した文書から選択する。そして、文書選択部５１は、選択したページを保持する。
【００３７】
プリンタ制御部５２は、文書選択部５１から送信されたページを電子ペーパ用プリンタ３０に印刷させる。したがって、電子ペーパ用プリンタ３０に、電子ペーパ４０を置いておき、印刷開始の指示が電子ペーパ用プリンタ３０になされると、その電子ペーパ４０に文書選択部５１から送信されたページが印刷される。既にページが印刷された電子ペーパ４０が電子ペーパ用プリンタ３０に置かれている場合には、プリンタ制御部５２は、電子ペーパ用プリンタ３０に送信されたページを書換えさせる。
【００３８】
印刷履歴保存部５３は、プリンタ制御部５２と通信し、印刷制御部５２が印刷させたページに関する各種ページ情報を取得する。そして、取得した各種ページ情報を印刷履歴として表示状態記憶部５４に保存する。各種ページ情報には、ページの名称やページの画像の格納先を特定するページファイルＩＤ、印刷させた電子ペーパ用プリンタ３０の名称や書換回数、印刷に利用された電子ペーパ４０の名称や書換回数、文書及びそのページの選択を指示した利用者名や利用者識別情報（利用者ＩＤ）等がある。
【００３９】
検索結果表示制御部５５は、端末１０からの検索指示に基づき、表示状態記憶部５４に保存された各種ページ情報のうち、検索指示に含まれる印刷日に印刷させたページ情報に関する画像を、縮小し、印刷させた順序で、端末１０の表示部に表示させる。
【００４０】
閲覧状態判定部５６は、端末１０から受け付けた、各ページの提示指示に応じて、各ページの表示状態を示す情報を端末１０の表示部に表示させる。尚、この閲覧状態判定部５６は、必要に応じて、構成すればよい。
【００４１】
尚、上述した印刷履歴表示装置５０は、図２に示すように、ＣＰＵ５０ａ、ＳＲＡＭ(Static Random Access Memory)、ＤＲＡＭ(Dynamic RAM)やＳＤＲＡＭ（Synchronous DRAM）、ＮＶＲＡＭ（Non Volatile RAM）等のＲＡＭ５０ｂ、フラッシュメモリ等のＲＯＭ(Read Only Memory)５０ｃ及び入出力を制御するＩ／Ｏインタフェース５０ｄやＬＡＮ（Local Area Network）等に接続されるＬＡＮインタフェース５０ｅがバス５０ｆにより接続されたハードウェア構成等により実現される。
【００４２】
したがって、ＣＰＵ５０ａがＲＡＭ５０ｂやＲＯＭ５０ｃ、ハードディスク等の記憶装置に格納された所要のプログラムを読み込み、当該プログラムに従った演算を行うことにより、上述した印刷履歴表示装置５０の各部が実現される。端末１０についても概ね同様の構成である。尚、このようなプログラムとしては後述するフローチャートに応じたプログラムとすることができる。
【００４３】
また、同図に示すように、必要に応じて、バス５０ｆにＨＤＤ（ハードディスクドライブ）５０ｇ、ＣＤ−ＲＯＭ６０に情報を書込むＣＤ−ＲＯＭドライブ５０ｈ、ＦＤドライブ５０ｉ、モデム５０ｊを接続するようにしてもよい。
【００４４】
続いて、印刷履歴表示システムの動作について説明する。
【００４５】
まず、ページの印刷処理並びにそのページの画像に関する各種ページ情報の保存処理について図３及び図４を参照して説明する。
【００４６】
図３は、印刷履歴表示装置５０の動作の一例を示すフローチャート、図４は、端末１０に表示される操作画面の一例である。
【００４７】
印刷履歴表示装置５０の文書選択部５１は、まず、図３に示すように、ログイン判定を行う（ステップＳ１）。ログイン判定は、図４（ａ）に示すように、ログイン画面において、利用者ＩＤ、パスワードが画面上で入力され、ポインタＰｔにより「ログイン」ボタンを指示されることで開始される。尚、このログイン画面は、例えば、文書選択部５１が端末１０から稼動要求を受信した場合に、表示させるようにすればよい。
【００４８】
文書選択部５１は、ログイン処理が成功したと判定した場合には、次いで、図４（ｂ）に示すように、端末１０の表示部に文書選択画面を表示させ、文書選択指示を受信したか否かを判定する（ステップＳ２）。文書選択画面は、電子ペーパ４０に印刷させるページを含む文書を選択する画面である。利用者が、図４（ｂ）に示すように、ポインタＰｔにより文書（例えば文書Ａ）を選択し、「ＯＫ」ボタンを指示すると、文書の選択に関する選択指示が端末１０から文書選択部５１に送信される。
【００４９】
文書選択部５１は、ステップＳ２の処理において、文書の選択に関する選択指示を受信したと判定した場合には、文書ＤＢ２０からその選択指示に応じた文書を選択し、取得する（ステップＳ３）。文書選択部５１は、図４（ｃ）に示すように、取得した文書に関する種々の情報と、その文書を構成するページを端末１０の表示部に表示させる。
【００５０】
文書選択部５１は、ここで、ページの選択指示があったか否かを判定する（ステップＳ４）。この判定処理は、図４（ｃ）に示すように、ポインタＰｔによりページ（例えばページ１）が選択され、「ＯＫ」ボタンが選択されたか否かにより行われる。ページの選択は、複数であってもよい。
【００５１】
文書選択部５１は、ステップＳ４の処理において、ページの選択指示を受信したと判定した場合には、選択された文書における、選択されたページを保持し（ステップＳ５）、次いで、プリンタ制御部５２が、図４（ｄ）に示すように、プリンタ選択画面を端末１０の表示部に表示させる。
【００５２】
プリンタ制御部５２は、ここで、プリンタの選択指示があったか否かを判定する（ステップＳ６）。この判定処理は、図４（ｄ）に示すように、ポインタＰｔにより電子ペーパ用プリンタ（例えばプリンタＢ）が選択され、「ＯＫ」ボタンが選択されたか否かにより行われる。
【００５３】
プリンタ制御部５２は、ステップＳ６の処理において、プリンタの選択指示を受信したと判定した場合には、選択されたプリンタを保持する（ステップＳ７）。そして、プリンタ制御部５２は、文書選択部５１が保持するページのうち、選択指示を受信した以前に生成したことがあるページが含まれるか否か表示状態記憶部５４を参照して確認する。具体的には、表示状態記憶部５４に記憶されるページテーブルを確認し、印刷を予定するページのページ情報の有無により判定する。
【００５４】
プリンタ制御部５２は、印刷すべきページが以前に生成したことがないと判定した場合には、印刷を予定するページを文書選択部５１から取得する。そして、そのページに関する画像を生成し、プリンタ制御部５２によって選択された電子ペーパ用プリンタ３０に印刷させる（ステップＳ８）。一方、印刷すべきページが以前に生成したことがあると判定した場合には、表示媒体記憶部５４から、印刷すべきページの画像の格納先を特定し、特定された格納先から画像を取得し、電子ペーパ用プリンタ３０に印刷させる。尚、この画像の格納先は、印刷履歴表示装置５０の内部に構成してもよいし、外部に配置して通信するようにしてもよい。印刷処理後、端末１０の表示部は、図４（ｅ）に示すように、出力結果画面に印刷結果を表示する。
【００５５】
印刷履歴保存部５３は、ステップＳ８の処理において、プリンタ制御部５２が電子ペーパ用プリンタ３０にページを印刷させた場合に、印刷させたページに関する各種ページ情報を表示状態記憶部５４に保存する（ステップＳ９）。したがって、表示状態記憶部５４には、電子ペーパ４０に印刷した画像に関する各種ページ情報が保存されていく。
【００５６】
ここで、表示状態記憶部５４に記憶される各種ページ情報の詳細について図５から図１１を参照して説明する。
【００５７】
図５は、ページテーブルの一例、図６は、電子ペーパテーブルの一例、図７は、利用者テーブルの一例、図８は、プリンタテーブルの一例、図９は、表示保持時間テーブルの一例である。
【００５８】
ページテーブルは、図５に示すように、属性として、識別情報（ＩＤ）ごとに、電子ペーパ４０に印刷させたページの名称、ページの番号、ページの作成日時、ページの画像の格納先を示すページファイルＩＤ、そのページを含む文書の文書ＩＤを記憶する。例えば、ＩＤが「１」に係るページは、文書「Ａ」を構成するページのページ「１」であり、その画像はページファイルＩＤ「Ａ１」に格納されていることを示す。
【００５９】
電子ペーパテーブルは、図６に示すように、属性として、ＩＤごとに、電子ペーパの名称、解像度、書換回数、書換開始時刻、最終書換時刻、電子ペーパＩＤ及び所有者を記憶する。例えば、ＩＤが「１」に係る電子ペーパは、未表示の状態から画像が４回書換えられており、最初に画像が書き込まれた時刻が「２００８年２月１日、１０時００分００秒」、最後に画像が書き込まれた時刻が「２００８年２月１日、１０時１５分１０秒」であることを示す。また、その電子ペーパの所有者が、利用者テーブルのＩＤ「１」である者であることを示す。
【００６０】
利用者テーブルは、図７に示すように、属性として、ＩＤごとに、利用者名、利用者ＩＤ、所属、この利用者ＩＤが作成された時刻及び最後に更新された時刻を記憶する。
【００６１】
プリンタテーブルは、図８に示すように、属性として、ＩＤごとに、電子ペーパ用プリンタの名称、書換回数、書換開始時刻、最終書換時刻、デバイスＩＤ及び所有者を記憶する。例えば、ＩＤが「２」に係る電子ペーパ用プリンタは、４回書換えを行っており、最初に画像を書き込んだ時刻が「２００８年２月１日、１０時００分００秒」、最後に画像が書き込んだ時刻が「２００８年２月１日、１０時１５分１０秒」であることを示す。また、その電子ペーパ用プリンタの所有者が、利用者テーブルのＩＤ「１」である「利用者Ａ」であることを示す。
【００６２】
表示保持時間テーブルは、図９に示すように、属性として、ＩＤごとに、表示保持時間（秒）、表示開始時刻、表示終了時刻、ページテーブルのＩＤ、電子ペーパテーブルのＩＤ、利用者テーブルのＩＤ、プリンタテーブルのＩＤを記憶する。尚、表示保持時間は、表示終了時刻と表示開始時刻との差分により算出される。
【００６３】
例えば、ＩＤ「１」では、プリンタテーブルのＩＤ「２」であるため、プリンタＢが使用されていることを示す。そして、そのＩＤ「１」における電子ペーパテーブルのＩＤが「１」であるため、電子ペーパＡに印刷されたことを示す。さらに、そのＩＤ「１」における利用者テーブルのＩＤが「１」であるため、利用者Ａによって印刷されたことを示す。そして、そのＩＤ「１」におけるページテーブルのＩＤが「１」等であるため、文書Ａのページ１が１８０秒間表示されていたことを示す。
【００６４】
図１０は、電子ペーパ４０に表示された画像の遷移を示す概念図である。
【００６５】
図９に示す表示保持時間テーブルに基づけば、電子ペーパＡは、図１０（ａ）に示すように、文書Ａのページ１に係る画像を１８０秒間表示し、２０秒間表示を停止する。次に、文書Ａのページ２に係る画像を３００秒間表示し、１００秒間表示を停止する。次に、文書Ｂのページ１に係る画像を１０秒間表示し、３０００秒間表示を停止する。そして、現在、文書Ｂのページ２に係る画像を表示している。
【００６６】
また、図９に示す表示保持時間テーブルに基づけば、電子ペーパＢは、図１０（ｂ）に示すように、文書Ａのページ２に係る画像を１８００秒間表示し、６０秒間表示を停止する。そして、現在、文書Ｂのページ１に係る画像を表示している。尚、停止時間は、例えば、画像の書き込み中であることを示す。
【００６７】
図１１は、表示順序テーブルの一例である。後述するが、この表示順序テーブルに基づいて、電子ペーパ４０に印刷させた画像であって、この画像を縮小した縮小画像（以下、サムネイル画像という。）を端末の表示部に表示する。
【００６８】
表示順序テーブルは、図１１に示すように、属性として、ＩＤごとに、ページＩＤ（Ｆｒｏｍ）、ページＩＤ（Ｔｏ）、利用者ＩＤの配列、書換発生回数の合計値、印刷間隔時間の合計値（秒）を記憶する。これらの内容は、表示保持時間テーブル等に基づいて算出される。
【００６９】
例えば、ＩＤ「２」では、ページ「２」からページ「３」に書き換わった回数が２回あることを示す。そのうち１回は、利用者テーブルのＩＤ「１」によって行われ、もう１回は、利用者ＩＤテーブルの「２」によって行われていることを示す。さらに、一方の印刷間隔は１００秒であり、他方の印刷間隔は６０秒であることから、印刷間隔の合計値が１６０秒であることを示す。
【００７０】
次に、検索指示に基づくページの表示処理について図１２及び図１３を参照して説明する。
【００７１】
図１２は、印刷履歴表示装置５０の動作の一例を示すフローチャート、図１３は、端末１０に表示される操作画面等の一例である。
【００７２】
印刷履歴表示装置５０の検索結果表示制御部５５は、図１２に示すように、まず、検索指示を受信したか否かを判定する（ステップＳ１１）。この判定処理は、例えば、図１３（ａ）に示すように、印刷履歴検索画面において、指定日が指定され、ポインタＰｔにより「ＯＫ」ボタンが指示されたか否かにより行われる。ポインタＰｔにより「ＯＫ」ボタンが指示されると、端末１０が指定日を含む検索指示を検索結果表示制御部５５に送信する。尚、印刷履歴検索画面は、検索結果表示制御部５５が端末１０から稼動要求を受信すると、端末１０に表示させる。
【００７３】
検索結果表示制御部５５は、ステップＳ１１の処理において、検索指示を受信したと判定した場合には、次いで、表示状態記憶部５４から、検索指示に応じた画像を検索する（ステップＳ１２）。具体的には、検索指示に含まれる印刷日に基づき、その印刷日のページファイルＩＤをすべて取得する。そして、それらのページファイルＩＤに特定された格納先からすべての画像を取得する。
【００７４】
検索結果表示制御部５５は、検索結果に応じた画像を取得すると、次いで、その画像からサムネイル画像を生成し（ステップＳ１３）、そのサムネイル画像を印刷させた順序で端末１０に表示させる（ステップＳ１４）。この結果、端末１０の表示部は、図１３（ｂ）に示すように、サムネイル画像を印刷順序に基づいて表示する。この表示は、縦方向であってもよいし、横方向であってもよい。
【００７５】
この印刷順序は、表示保持時間テーブルに記憶された情報に基づいて特定される。すなわち、サムネイル画像１には、文書Ａのページ１に係るサムネイル画像が表示される。同様に、サムネイル画像２には、文書Ａのページ２に係るサムネイル画像が表示され、サムネイル画像３には、文書Ｂのページ１に係るサムネイル画像が表示される。ポインタＰｔによる指示により、後続のサムネイル画像を表示させるようにしてもよい。
【００７６】
（第２実施形態）
続いて、本発明の第２実施形態について図１４及び図１５を参照して説明する。
【００７７】
図１４は、印刷履歴表示装置５０の動作の一例を示すフローチャート、図１５は、端末１０に表示される操作画面等の一例である。
【００７８】
印刷履歴表示装置５０の検索結果表示制御部５５は、図１４に示すように、まず、検索指示を受信したか否かを判定する（ステップＳ２１）。この判定処理は、例えば、図１５（ａ）に示すように、印刷履歴検索画面において、指定期間が指定され、ポインタＰｔにより「ＯＫ」ボタンが指示されたか否かにより行われる。ポインタＰｔにより「ＯＫ」ボタンが指示されると、端末１０が指定期間を含む検索指示を検索結果表示制御部５５に送信する。尚、印刷履歴検索画面は、検索結果表示制御部５５が端末１０から稼動要求を受信すると、端末１０に表示させる。
【００７９】
検索結果表示制御部５５は、ステップＳ２１の処理において、検索指示を受信したと判定した場合には、次いで、表示状態記憶部５４から、検索指示に応じた画像を検索する（ステップＳ２２）。具体的には、検索指示に含まれる指定期間に基づき、その指定期間に含まれるページファイルＩＤをすべて取得する。そして、これらのページファイルＩＤに特定された格納先からすべての画像を取得する。
【００８０】
検索結果表示制御部５５は、検索結果に応じた画像を取得すると、次いで、その画像からサムネイル画像を生成し（ステップＳ２３）、そのサムネイル画像を指定日ごとに、印刷させた順序で、端末１０に表示させる（ステップＳ２４）。この結果、端末１０に表示部は、図１５（ｂ）に示すように、サムネイル画像を指定日ごとに印刷順序に基づいて表示する。同図では、印刷順序を縦方向、日付を横方向としているが、印刷順序を横方向、日付を縦方向としてもよい。
【００８１】
（第３実施形態）
続いて、本発明の第３実施形態について図１６から図１８までを参照して説明する。
【００８２】
図１６は、印刷履歴表示装置５０の動作の一例を示すフローチャート、図１７は、端末１０に表示される操作画面等の一例、図１８は、画像の大きさを判定するためのテーブルである。
【００８３】
本実施形態に係る印刷履歴表示装置５０は、図１７（ｂ）に示すように、サムネイル画像の大きさを変更して表示させる点で、上述した実施形態と相違する。
【００８４】
印刷履歴表示装置５０の検索結果表示制御部５５は、図１６に示すように、まず、検索指示を受信したか否かを判定する（ステップＳ３１）。この判定処理は、図１５を参照して説明したとおりである。
【００８５】
検索結果表示制御部５５は、ステップＳ３１の処理において、検索指示を受信したと判定した場合には、次いで、表示状態記憶部５４から、検索指示に応じた画像を検索する（ステップＳ３２）。具体的には、検索指示に含まれる指定期間に基づき、その指定期間に含まれるページファイルＩＤをすべて取得する。そして、これらのページファイルＩＤに特定された格納先からすべての画像を取得する。
【００８６】
検索結果表示制御部５５は、検索結果に応じた画像を取得すると、次いで、これらの画像からサムネイル画像を生成し（ステップＳ３３）、また、これらの画像の表示保持時間が第１期間に属するか否かを判定する（ステップＳ３４）。そして、取得した画像のうち、表示保持時間が第１期間に属するものがあれば、これらの画像のサムネイル画像を最小画像に縮小する（ステップＳ３５）。
【００８７】
ここで、第１期間とは、図１８（ａ）に示すように、ＩＤ「１」に関連付けられた下限値「０」秒以上であって、上限値「５秒」未満の期間をいう。そして、この第１期間に属する画像のサムネイル画像は、例えば、縦４０ピクセル、横６０ピクセルの最小画像に縮小される。このピクセル数は、適宜、変更してもよい。
【００８８】
以下の説明では、同様に、ＩＤ「２」に関する期間を第２期間、その期間における画像（６０×８０）を小画像、ＩＤ「３」に関する期間を第３期間、その期間における画像（１２０×１６０）を中画像、ＩＤ「４」に関する期間を第４期間、その期間における画像（１６０×２４０）を大画像、ＩＤ「５」に関する期間を第５期間、その期間における画像（２４０×３２０）を最大画像として説明する。
【００８９】
検索結果表示制御部５５は、ステップＳ３４の処理において、取得した画像のうち、表示保持時間が第１期間に属するものがなければ、次いで、これらの画像の表示保持時間が第２期間に属するか否かを判定する（ステップＳ３６）。そして、取得した画像のうち、表示保持時間が第２期間に属するものがあれば、これらの画像のサムネイル画像を小画像に縮小する（ステップＳ３７）。
【００９０】
検索結果表示制御部５５は、後続のステップＳ３８からステップＳ４１の処理を行って、取得した画像のサムネイル画像を中画像、大画像に縮小する。縮小されなかったサムネイル画像を最大画像と認定する。そして、これらのサムネイル画像を、指定日ごとに、印刷させた順序で、端末１０に表示させる（ステップＳ４２）。この結果、端末１０に表示部は、図１７（ｂ）に示すように、サムネイル画像を印刷順序に基づいて表示する。この表示は、縦横を逆にしてもよい。
【００９１】
尚、本実施形態では、表示保持時間を判定してサムネイル画像の大きさを縮小したが、図１８（ｂ）に示すように、印刷させたページの印刷回数を判定し、この判定結果に基づいて、サムネイル画像の大きさを変えて表示させるようにしてもよい。
【００９２】
（第４実施形態）
続いて、本発明の第４実施形態について図１９及び図２０を参照して説明する。
【００９３】
図１９は、印刷履歴表示装置５０の動作の一例を示すフローチャート、図２０は、端末１０に表示される操作画面等の一例である。
【００９４】
本実施形態に係る印刷履歴表示装置５０は、図２０（ｂ）に示すように、サムネイル画像を強調して表示させる点で、上述した実施形態と相違する。
【００９５】
印刷履歴表示装置５０の検索結果表示制御部５５は、図１９に示すように、まず、検索指示を受信したか否かを判定する（ステップＳ５１）。この判定処理は、図１５を参照して説明したとおりである。
【００９６】
検索結果表示制御部５５は、ステップＳ５１の処理において、検索指示を受信したと判定した場合には、次いで、表示状態記憶部５４から、検索指示に応じた画像を検索する（ステップＳ５２）。
【００９７】
検索結果表示制御部５５は、検索指示に応じた画像を取得すると、次いで、これらの画像からサムネイル画像を生成し（ステップＳ５３）、これらのサムネイル画像を指定日ごとに印刷させた順序で端末１０に表示させる（ステップＳ５４）。
【００９８】
検索結果表示制御部５５は、ここで、印刷させたページに関連する利用者ＩＤと、検索指示に含まれる利用者ＩＤが一致するか否かを判定する（ステップＳ５５）。
【００９９】
検索結果表示制御部５５は、双方の利用者ＩＤが一致すると判定した場合には、一致した利用者ＩＤに関連するサムネイル画像を強調して端末１０に表示させる（ステップＳ５６）。
【０１００】
この結果、端末１０に表示部は、図２０（ｂ）に示すように、指定期間のサムネイル画像を指定日ごと印刷順序に基づいて表示すると共に、これらのサムネイル画像の一部を太い枠等で囲い強調して表示する。尚、双方の利用者ＩＤが一致しないサムネイル画像を強調表示すれば、自身以外が印刷させた画像のサムネイル画像が強調される。また、双方の利用者が一致しない場合に、点線の枠でサムネイル画像を囲ったり、網掛け等でサムネイル画像を覆ったりして、強調させないようにしてもよい。
【０１０１】
（第５実施形態）
続いて、本発明の第５実施形態について図２１及び図２２を参照して説明する。
【０１０２】
図２１は、印刷履歴表示装置５０の動作の一例を示すフローチャート、図２２は、端末１０に表示される操作画面等の一例である。
【０１０３】
本実施形態に係る印刷履歴表示装置５０は、図２２に示すように、各サムネイル画像の間に矢印を表示させる点で、上述した実施形態と相違する。
【０１０４】
印刷履歴表示装置５０の検索結果表示制御部５５は、図２１に示すように、まず、検索指示を受信したか否かを判定する（ステップＳ６１）。この判定処理は、例えば、図２２（ａ）に示すように、印刷履歴検索画面において、指定日が指定され、ポインタＰｔにより「ＯＫ」ボタンが指示されたか否かにより行われる。ポインタＰｔにより「ＯＫ」ボタンが指示されると、端末１０が指定日を含む検索指示を検索結果表示制御部５５に送信する。尚、印刷履歴検索画面は、検索結果表示制御部５５が端末１０から稼動要求を受信すると、端末１０に表示させる。
【０１０５】
検索結果表示制御部５５は、ステップＳ６１の処理において、検索指示を受信したと判定した場合には、次いで、表示状態記憶部５４から、検索指示に応じた画像を取得する（ステップＳ６２）。具体的には、検索指示に含まれる指定日に基づき、その指定日のページファイルＩＤをすべて取得する。そして、それらのページファイルＩＤによって特定された格納先からすべての画像を取得する。
【０１０６】
検索結果表示制御部５５は、ステップＳ６２の処理において、画像を取得すると、これらの画像からサムネイル画像を生成し（ステップＳ６３）、そのサムネイル画像を、印刷させた順序で端末１０に表示させる（ステップＳ６４）。
【０１０７】
検索結果表示制御部５５は、さらに、各サムネイル画像の間に、時間の印刷間隔の長短に応じた矢印を端末１０に表示させる（ステップＳ６５）。この時間の印刷間隔は、図１１を参照して説明した表示順序テーブルにおける印刷間隔時間に基づいて行われる。そして、時間の印刷間隔が長い場合に、矢印を伸ばして表示させる。
【０１０８】
検索結果表示制御部５５は、さらに、各サムネイル画像の間に、印刷させたページの印刷回数に応じた矢印を端末１０に表示させる（ステップＳ６６）。この印刷回数は、図１１を参照して説明した表示順序テーブルにおける書換発生回数に基づいて行われる。そして、印刷回数が多い場合に、矢印を太くして表示させる。
【０１０９】
この結果、端末１０に表示部は、図２２（ｂ）に示すように、各サムネイル画像の間に矢印を表示する。これらの矢印は、時間の印刷間隔及び印刷回数に応じて、長さと太さが変更されている。例えば、サムネイル画像２とサムネイル画像３の間に表示される矢印は、残りの２本の矢印に比べ、長さが長く、また、太さが太く表示されている。
【０１１０】
したがって、文書Ａのページ２から文書Ｂのページ１への書換えは、他の書換えに比べ、時間の印刷間隔が開いており、また、この書換えの回数も多いことになる。
【０１１１】
以上、本発明の好ましい実施形態について詳述したが、本発明に係る特定の実施形態に限定されるものではなく、特許請求の範囲に記載された本発明の要旨の範囲内において、種々の変形・変更が可能である。例えば、本発明のプログラムを通信手段により提供することはもちろん、ＣＤ−ＲＯＭ等の記録媒体に格納して提供することも可能である。
【０１１２】
また、上述した実施形態では、指定日又は指定期間に基づいて検索処理を行っているが、利用者ＩＤに基づいて検索処理を行うようにしてもよい。さらに、上述した実施形態は、それぞれ組み合わせるようにしてもよい。指定期間に基づいて表示させる場合には、週間ごとに表示させることが好ましい。
【図面の簡単な説明】
【０１１３】
【図１】印刷履歴表示システムを示すブロック図である。
【図２】印刷履歴表示装置のハードウェア構成を例示するブロック図である。
【図３】印刷履歴表示装置の動作の一例を示すフローチャートである。
【図４】端末に表示される操作画面の一例である。
【図５】ページテーブルの一例である。
【図６】電子ペーパテーブルの一例である。
【図７】利用者テーブルの一例である。
【図８】プリンタテーブルの一例である。
【図９】表示保持時間テーブルの一例である。
【図１０】電子ペーパに表示された画像の遷移を示す概念図である。
【図１１】表示順序テーブルの一例である。
【図１２】印刷履歴表示装置の動作の一例を示すフローチャートである。
【図１３】端末に表示される操作画面等の一例である。
【図１４】印刷履歴表示装置の動作の一例を示すフローチャートである。
【図１５】端末に表示される操作画面等の一例である。
【図１６】印刷履歴表示装置の動作の一例を示すフローチャートである。
【図１７】端末に表示される操作画面等の一例である。
【図１８】画像の大きさを判定するためのテーブルである。
【図１９】印刷履歴表示装置の動作の一例を示すフローチャートである。
【図２０】端末に表示される操作画面等の一例である。
【図２１】印刷履歴表示装置の動作の一例を示すフローチャートである。
【図２２】端末に表示される操作画面等の一例である。
【符号の説明】
【０１１４】
１０  携帯端末
２０  文書ＤＢ
３０  電子ペーパ用プリンタ
４０  電子ペーパ
５０  印刷履歴表示装置
５１  文書選択部
５２  プリンタ制御部
５３  印刷履歴保存部
５４  表示状態記憶部
５５  検索結果表示制御部
５６  閲覧状態判定部
【図１】
2010072908.tif 000003
【図２】
2010072908.tif 000004
【図３】
2010072908.tif 000005
【図４】
2010072908.tif 000006
【図５】
2010072908.tif 000007
【図６】
2010072908.tif 000008
【図７】
2010072908.tif 000009
【図８】
2010072908.tif 000010
【図９】
2010072908.tif 000011
【図１０】
2010072908.tif 000012
【図１１】
2010072908.tif 000013
【図１２】
2010072908.tif 000014
【図１３】
2010072908.tif 000015
【図１４】
2010072908.tif 000016
【図１５】
2010072908.tif 000017
【図１６】
2010072908.tif 000018
【図１７】
2010072908.tif 000019
【図１８】
2010072908.tif 000020
【図１９】
2010072908.tif 000021
【図２０】
2010072908.tif 000022
【図２１】
2010072908.tif 000023
【図２２】
2010072908.tif 000024